(57)【要約】【課題】配信状況が変化したときに効率よくチャンネルリストを自動更新することが可能なＣＡＴＶシステムの受信端末装置等を提供する。【解決手段】ＣＡＴＶシステムのヘッドエンド装置から伝送されてくるダウンロードの告知情報（ＳＤＴＴ）が入力され（Ｓ１１０；ＹＥＳ）、そのＳＤＴＴの中から指令識別子を検出した場合（Ｓ１３０；ＹＥＳ）、チューナを介して全ての放送チャンネルを順次選局し、各周波数帯におけるデジタル放送信号の有無をスキャンするスキャン処理を実行する（Ｓ２１０）。そして、スキャン処理により選局されたデジタル放送信号に基づき、その放送チャンネル（チャンネル番号）と放送局の情報とを対応付けたチャンネルリストを設定する。このため、配信状況が変化するときにヘッドエンド装置を介して指令識別子を含むＳＤＴＴを配信することにより、ＳＴＢのチャンネルリストが自動更新される。【選択図】図４
2010239521.tif 000002
【特許請求の範囲】
【請求項１】
事業者側によって管理されるヘッドエンド装置から加入者側に設置された受信端末装置に、伝送線を介してデジタル放送信号を配信するＣＡＴＶシステムにおいて、前記受信端末装置にチャンネルスキャンを実行させるチャンネルスキャン実行方法であって、
前記受信端末装置の動作に必要なソフトウェアを更新するために、前記デジタル放送信号の空きスロットを利用して前記ヘッドエンド装置に送信させる告知情報に、前記チャンネルスキャンの実行を指示する指令識別子を含ませることにより、前記告知情報を配信する機能を利用して前記受信端末装置にチャンネルスキャンを実行させることを特徴とするチャンネルスキャン実行方法。
【請求項２】
ＣＡＴＶシステムの加入者側に設置され、
放送局から配信されるデジタル放送信号がヘッドエンド装置にて所定の放送チャンネルに変換されたＣＡＴＶ用伝送信号を、該ヘッドエンド装置から伝送線を介して入力する入力手段と、
前記入力手段を介して入力する複数の前記放送チャンネルのＣＡＴＶ用伝送信号の中から、外部操作によって指定されたチャンネル番号に対応する放送チャンネルのＣＡＴＶ用伝送信号を、予め設定されたチャンネルリストに基づいて選局する選局手段と、
前記選局手段に受信可能なＣＡＴＶ用伝送信号を順次選局させるチャンネルスキャンを実行し、該チャンネルスキャンにより選局されたＣＡＴＶ用伝送信号に基づいて、前記放送局の情報と前記チャンネル番号とを対応付けた前記チャンネルリストを設定するチャンネルリスト設定手段と、
前記入力手段を介して入力する前記ＣＡＴＶ用伝送信号に含まれている告知情報に従って、当該ＣＡＴＶシステムの受信端末装置の動作に必要なソフトウェアを更新するための処理を行うソフトウェア更新手段と、
を備えるＣＡＴＶシステムの受信端末装置において、
前記告知情報の中から予め規定された指令識別子を検出した場合、前記ソフトウェア更新手段による処理を禁止すると共に、前記チャンネルスキャンを実行するスキャン実行手段を備えることを特徴とするＣＡＴＶシステムの受信端末装置。
【請求項３】
前記選局手段は、前記ＣＡＴＶ用伝送信号のうち、トランスモジュレーション方式で伝送されてくる信号を選局する第１チューナ部と、パススルー方式で伝送されてくる信号を選局する第２チューナ部とを有し、
前記チャンネルリストには、前記第１チューナ部および前記第２チューナ部により選局されたＣＡＴＶ用伝送信号のうち、いずれかを視聴用の信号として選択するためのチューナ設定情報が含まれ、
前記スキャン実行手段が実行するチャンネルスキャンは、前記告知情報の中から、前記第１チューナ部および前記第２チューナ部の選択方法を示す切換識別子を検出した場合、該切換識別子のパラメータに従って、前記チューナ設定情報を更新することを特徴とする請求項２に記載のＣＡＴＶシステムの受信端末装置。
【請求項４】
前記スキャン実行手段は、前記告知情報のうち予め規定された時刻ＩＤのパラメータにより特定される日時に、前記チャンネルスキャンを開始することを特徴とする請求項２または請求項３に記載のＣＡＴＶシステムの受信端末装置。
【請求項５】
前記スキャン実行手段は、前記指令識別子のパラメータに当該受信端末装置の製造者を示す製造者ＩＤが含まれている場合に限り、前記チャンネルスキャンを実行することを特徴とする請求項２ないし請求項４のいずれかに記載のＣＡＴＶシステムの受信端末装置。
【発明の詳細な説明】
【技術分野】
【０００１】
本発明は、ＣＡＴＶシステムにおいて受信端末装置にチャンネルスキャンを実行させるチャンネルスキャン指示方法、及び、ＣＡＴＶシステムの受信端末装置に関する。
【背景技術】
【０００２】
従来より、放送局から配信されるテレビ放送信号のデジタル化に伴い、ＣＡＴＶシステムにおいても、放送局から配信されるデジタル放送信号（以下、ＴＳともいう）を、事業者側が、光ケーブルや同軸ケーブル等からなる伝送路を介して、加入者側の受信端末装置に配信するサービスが行われている。
【０００３】
また、ＣＡＴＶシステムにおけるデジタル放送信号の配信方式としては、事業者側のヘッドエンド装置にて、放送局から配信されるＴＳを、ＣＡＴＶシステム固有の変調方式で変調した後、所定の放送チャンネル（伝送周波数帯）のデジタル放送信号に変換して伝送するトランスモジュレーション方式と、変調せずに伝送するパススルー方式とが併用されている。
【０００４】
そして、加入者宅に設置される受信端末装置としてのセットトップボックス（以下、ＳＴＢという）は、トランスモジュレーション方式およびパススルー方式で伝送されてくるデジタル放送信号を個別に選局するための二つのチューナを備え、例えば同じテレビ放送を両方の方式で受信可能な場合に、いずれのチューナで選局されるデジタル放送信号を選択するかを示す優先度が予め設定されている。
【０００５】
ところで、ＳＴＢを加入者宅に設置してテレビ放送を受信する際、加入者の居住地域でどの放送局が受信できるのかがわからないため、ＳＴＢは、チューナを介して全ての放送チャンネルを順次選局し、各周波数帯におけるデジタル放送信号の有無を探査するチャンネルスキャンを行うことにより、デジタル放送信号が検出された周波数や放送局の情報等をチャンネルリストに登録するように構成されている。
【０００６】
また、このようなチャンネルスキャンの一例としては、ＳＴＢのＡＣコードが外部電源に接続されたことをトリガとして、周知のＧＰＳ機能を用いてＳＴＢの位置情報を取得し、その位置情報に基づいて加入者の居住地域を特定することにより、チャンネルリストをその居住地域に合ったものに自動更新するチャンネルリスト設定方法が提案されている（例えば、特許文献１参照）。
【先行技術文献】
【特許文献】
【０００７】
【特許文献１】特開２００８−３５１６０号公報
【発明の概要】
【発明が解決しようとする課題】
【０００８】
しかし、従来のチャンネルリスト設定方法では、加入者が転居したときには有効であるが、例えば新たな放送局が開設されて放送チャンネルが増減する場合のように、事業者側の配信状況が変化するときに対応できないため、最終的に事業者または加入者のいずれかが手動でチャンネルスキャンを開始させる必要があった。つまり、事業者にとっては、加入者側にチャンネルスキャンを促すように周知させたり、加入者宅を訪問して自らがチャンネルスキャンの作業を行ったりする必要があるために、手間やコストがかかる可能性を有していた。
【０００９】
これに対して、例えば、所定の周期毎に自動的にチャンネルスキャンを開始するようにＳＴＢを構成することも考えられるが、この場合、更新すべき放送チャンネルが存在しないときであってもチャンネルスキャンを行うことになり、効率がよくないという問題があった。
【００１０】
本発明は、上記問題点を解決するために、配信状況が変化したときに効率よくチャンネルリストを自動更新することが可能なチャンネルスキャン実行方法、及び、ＣＡＴＶシステムの受信端末装置を提供することを目的とする。
【課題を解決するための手段】
【００１１】
上記目的を達成するためになされた発明である請求項１に記載の発明は、事業者側によって管理されるヘッドエンド装置から加入者側に設置された受信端末装置に、伝送線を介してデジタル放送信号を配信するＣＡＴＶシステムにおいて、前記受信端末装置にチャンネルスキャンを実行させるチャンネルスキャン実行方法であって、前記受信端末装置の動作に必要なソフトウェアを更新するために、前記デジタル放送信号の空きスロットを利用して前記ヘッドエンド装置に送信させる告知情報に、前記チャンネルスキャンの実行を指示する指令識別子を含ませることにより、前記告知情報を配信する機能を利用して前記受信端末装置にチャンネルスキャンを実行させることを特徴とする。
【００１２】
請求項２に記載の発明は、ＣＡＴＶシステムの加入者側に設置され、放送局から配信されるデジタル放送信号がヘッドエンド装置にて所定の放送チャンネルに変換されたＣＡＴＶ用伝送信号を、該ヘッドエンド装置から伝送線を介して入力する入力手段と、前記入力手段を介して入力する複数の前記放送チャンネルのＣＡＴＶ用伝送信号の中から、外部操作によって指定されたチャンネル番号に対応する放送チャンネルのＣＡＴＶ用伝送信号を、予め設定されたチャンネルリストに基づいて選局する選局手段と、前記選局手段に受信可能なＣＡＴＶ用伝送信号を順次選局させるチャンネルスキャンを実行し、該チャンネルスキャンにより選局されたＣＡＴＶ用伝送信号に基づいて、前記放送局の情報と前記チャンネル番号とを対応付けた前記チャンネルリストを設定するチャンネルリスト設定手段と、前記入力手段を介して入力する前記ＣＡＴＶ用伝送信号に含まれている告知情報に従って、当該ＣＡＴＶシステムの受信端末装置の動作に必要なソフトウェアを更新するための処理を行うソフトウェア更新手段と、を備えるＣＡＴＶシステムの受信端末装置において、前記告知情報の中から予め規定された指令識別子を検出した場合、前記ソフトウェア更新手段による処理を禁止すると共に、前記チャンネルスキャンを実行するスキャン実行手段を備えることを特徴とする。
【００１３】
請求項３に記載の発明は、請求項２に記載のＣＡＴＶシステムの受信端末装置において、前記選局手段は、前記ＣＡＴＶ用伝送信号のうち、トランスモジュレーション方式で伝送されてくる信号を選局する第１チューナ部と、パススルー方式で伝送されてくる信号を選局する第２チューナ部とを有し、前記チャンネルリストには、前記第１チューナ部および前記第２チューナ部により選局されたＣＡＴＶ用伝送信号のうち、いずれかを視聴用の信号として選択するためのチューナ設定情報が含まれ、前記スキャン実行手段が実行するチャンネルスキャンは、前記告知情報の中から、前記第１チューナ部および前記第２チューナ部の選択方法を示す切換識別子を検出した場合、該切換識別子のパラメータに従って、前記チューナ設定情報を更新することを特徴とする。
【００１４】
請求項４に記載の発明は、請求項２または請求項３に記載のＣＡＴＶシステムの受信端末装置において、前記スキャン実行手段は、前記告知情報のうち予め規定された時刻ＩＤのパラメータにより特定される日時に、前記チャンネルスキャンを開始することを特徴とする。
【００１５】
請求項５に記載の発明は、請求項２ないし請求項４のいずれかに記載のＣＡＴＶシステムの受信端末装置において、前記スキャン実行手段は、前記指令識別子のパラメータに当該受信端末装置の製造者を示す製造者ＩＤが含まれている場合に限り、前記チャンネルスキャンを実行することを特徴とする。
【発明の効果】
【００１６】
請求項１に記載のチャンネルスキャン実行方法では、例えば新たな放送局が開設されて放送チャンネルが増減する場合のように、ＣＡＴＶシステムのヘッドエンド装置から受信端末装置に配信されるデジタル放送信号の配信状況が変化するときに、チャンネルスキャンの実行を指示する指令識別子を含む告知情報が受信端末装置に送信される。
【００１７】
このように、本発明のチャンネルスキャン実行方法では、ＣＡＴＶシステムの受信端末装置が、デジタル放送信号の配信状況が変化する場合にヘッドエンド装置から送信される告知情報の中から指令識別子を検出すると、チャンネルスキャンを実行することになり、効率よくチャンネルリストを自動更新することができる。
【００１８】
また、本発明のチャンネルスキャン実行方法では、デジタル放送信号の空きスロットを利用して、ＣＡＴＶシステムの受信端末装置の動作に必要なソフトウェアを更新するための告知情報を配信する既存の方法により、チャンネルスキャンの実行指示を受信端末装置に伝達することが可能となる。このため、既存のＣＡＴＶシステムのヘッドエンド装置の構成に変更を加えることなく、受信端末装置にチャンネルスキャンを実行させることができる。
【００１９】
請求項２に記載のＣＡＴＶシステムの受信端末装置は、ヘッドエンド装置から伝送線を介して伝送されてくる告知情報に従って、当該ＣＡＴＶシステムの受信端末装置を動作させるために必要なソフトウェアを更新する（例えば、更新情報をダウンロードする）処理（以下、ソフトウェア更新処理という）を行う。その一方、告知情報の中から指令識別子を検出した場合、ソフトウェア更新処理を実行する代わりに、チャンネルスキャンを実行することによってチャンネルリストを自動更新する。
【００２０】
このように、本発明のＣＡＴＶシステムの受信端末装置では、ヘッドエンド装置から配信されるデジタル放送信号の配信状況が変化するときに、ヘッドエンド装置を介して送信される告知情報に含まれている指令識別子を利用して、チャンネルスキャンを実行することになり、効率よくチャンネルリストを自動更新することができる。
【００２１】
つまり、本発明のＣＡＴＶシステムの受信端末装置は、請求項１に記載のチャンネルスキャン実行方法を適用したものであり、従って、請求項１に記載のチャンネルスキャン実行方法による効果と同等の効果を得ることができる。
【００２２】
ところで、従来のＣＡＴＶシステムの受信端末装置では、ＣＡＴＶシステムにおいてトランスモジュレーション方式とパススルー方式とで配信される伝送信号に個別に対応する二つのチューナ部を選択的に使用する場合、例えば配信方式が変化しても選択方法を自動的に切り換えることができないため、前述と同様に手間やコストがかかる可能性を有していた。
【００２３】
これに対して、請求項３に記載のＣＡＴＶシステムの受信端末装置は、ヘッドエンド装置から伝送線を介して伝送されてくる告知情報の中から切換識別子を検出した場合、その切換識別子のパラメータに従って、二つのチューナ部の選択方法に関する設定（チューナ設定情報）を更新するように構成されている。
【００２４】
このように、本発明のＣＡＴＶシステムの受信端末装置では、例えばヘッドエンド装置から配信されるデジタル放送信号（ＣＡＴＶ用伝送信号）の配信方式が変化するときに、二つのチューナ部の選択方法を自動的に切り換えることができ、ひいては、効率よくチューナ設定情報を自動更新することができる。
【００２５】
請求項４に記載のＣＡＴＶシステムの受信端末装置では、ヘッドエンド装置から伝送線を介して伝送されてくる告知情報のうち、時刻ＩＤのパラメータにより特定される日時にチャンネルスキャンを開始することにより、実際に配信方法が変化したときに合わせてより効率的にチャンネルリストを自動更新することができる。
【００２６】
請求項５に記載のＣＡＴＶシステムの受信端末装置では、指令識別子のパラメータに当該受信端末装置の製造者を示す製造者ＩＤが含まれている場合に限り、チャンネルスキャンを実行することにより、製造者毎に対応してチャンネルリストを自動更新することができる。
【図面の簡単な説明】
【００２７】
【図１】本発明が適用されたＣＡＴＶシステムの全体構成を示すブロック図。
【図２】ダウンロードの告知情報（ＳＤＴＴ）の構成を示す説明図。
【図３】本発明が適用されたＣＡＴＶシステムの受信端末装置としてのセットトップボックス（ＳＴＢ）の構成を示すブロック図。
【図４】ＳＴＢのＣＰＵが実行するスキャン制御処理の詳細を示すフローチャート。
【発明を実施するための形態】
【００２８】
以下に、本発明の実施形態を図面と共に説明する。
＜全体構成＞
図１は、本発明が適用されたＣＡＴＶシステムの全体構成を示すブロック図である。
【００２９】
図１に示すように、ＣＡＴＶシステム１は、当該ＣＡＴＶシステム１の事業者側により管理されるヘッドエンド装置２と、当該ＣＡＴＶシステム１の各加入者宅に設置される受信端末装置としてのセットトップボックス（以下、ＳＴＢという）３とからなり、これら装置２，３が光ケーブルや同軸ケーブル等の伝送線４を有する伝送路を介して接続されている。
【００３０】
なお、ＣＡＴＶシステム１では、ヘッドエンド装置２からＳＴＢ３に伝送されるデジタル放送信号としてのＣＡＴＶ用伝送信号（以下、ＴＳともいう）の空きスロットを利用して、ＳＴＢ３の動作に必要なソフトウェアの更新を行うエンジニアリングダウンロードサービスが行われている。
【００３１】
ＣＡＴＶシステム１のヘッドエンド装置２は、放送局から配信される地上波デジタル放送や放送衛星（ＢＳ）若しくは通信衛星（ＣＳ）を介して配信されるデジタル衛星放送をチャンネル毎に受信して、受信した各種デジタル放送信号を所定の周波数帯の放送チャンネルに割り当てることによりＣＡＴＶ用伝送信号に変換するＣＡＴＶ変換部５を備えている。
【００３２】
なお、ヘッドエンド装置２は、ＣＡＴＶ変換部５により、放送局から受信した各種デジタル放送信号を復調し、ＣＡＴＶシステム１固有の変調方式（本実施形態では６４ＱＡＭ）で再変調して配信するトランスモジュレーション方式と、６４ＱＡＭで再変調することなく受信した各種デジタル放送信号の変調方式（本実施形態ではＯＦＤＭ）のまま配信するパススルー方式とを併用している。
【００３３】
また、ヘッドエンド装置２は、エンジニアリングダウンロードサービスを行うためのダウンロード装置６を備え、ＳＴＢ３の製造者側から例えばＣＤ−ＲＯＭを介して供給されるダウンロードデータや、そのダウンロードの告知情報（以下、ＳＤＴＴという）を、ダウンロード装置６を介して配信するように構成されている。
【００３４】
なお、ＳＤＴＴは、後で詳述するが、ＳＴＢ３の動作に必要なソフトウェアを更新するために、ダウンロードデータの送信前に告知される情報であり、ＣＡＴＶシステム１の事業者側とＳＴＢ３の製造者側とにより決定されたダウンロード時刻を表す時刻ＩＤや、ＳＴＢ３の製造者毎に割り当てられた製造者ＩＤ等が含まれている。
【００３５】
そして、ヘッドエンド装置２は、伝送線４を介して伝送路に接続された送出装置７を備え、ＣＡＴＶ変換部５にて変換されたデジタル放送信号（ＣＡＴＶ用伝送信号）や、ダウンロード装置６から出力されるダウンロードデータ又はＳＤＴＴを、送出装置７を介して伝送線４上に送出するように構成されている。なお、送出装置７は、ダウンロードデータ又はＳＤＴＴを伝送線４上に送出する場合、ＴＳの空きスロット（以下、エンジニアリングＴＳという）を用いて、ＣＡＴＶ用伝送信号に多重化して送信するように構成されている。
【００３６】
＜ＳＤＴＴの構成＞
次に、図２（ａ）及び図２（ｂ）は、ダウンロードの告知情報（ＳＤＴＴ）の構成を示す説明図である。
【００３７】
図２（ａ）及び図２（ｂ）に示すように、ＳＤＴＴは、ＳＴＢ３の製造者側から例えばＣＤ−ＲＯＭを介して供給されるものであり、ダウンロードのスケジュール等を告知するために予め決められた形式を有する各種のフィールドと、ダウンロードコンテンツ記述子とにより構成されている。
【００３８】
このうち、フィールドには、ダウンロードの対象となるＳＴＢ３の製造者を示す製造者ＩＤとしての上位フィールド（maker＿id）を有するフィールド８（table＿id＿ext）や、ダウンロードの開始時刻を示す時刻ＩＤとしての下位フィールドを有するフィールド９（start＿time）が含まれ、ダウンロードコンテンツ記述子には、ダウンロードの受け付け番号を識別する目的で設定された記述子１０（download＿id）が含まれている。
【００３９】
このうち、フィールド８（table＿id＿ext）は、ダウンロードの対象となるＳＴＢ３の機種を示す機種ＩＤとしての下位フィールド（model＿id）を有し、当該フィールド８（table＿id＿ext）のパラメータとして、製造者ＩＤ（例えば、“０ｘ１Ｂ”）に機種ＩＤ（例えば“０１”）が付加されたもの（例えば、“０ｘ１Ｂ０１”）が使用される。
【００４０】
フィールド９（start＿time）は、ダウンロードの開始日を示す日付ＩＤとしての上位フィールドを有し、当該フィールド９（start＿time）のパラメータとして、日付ＩＤ（例えば、“０ｘＤ６１５”）に時刻ＩＤ（例えば、“０３０３３０”）が付加されたもの（例えば、“０ｘＤ６１５０３０３３０”）が使用される。なお、“０ｘＤ６１５”は、１２月５日をヘキサ２桁が１バイトとなる場合の２バイトで示すものであり、“０３０３３０”は、３時３分３０秒を示すものである。また、日付ＩＤは、ＣＡＴＶシステム１のヘッドエンド装置２によりＳＤＴＴが伝送線４に送出される日付と、ダウンロードの開始日とを同一とするように規定されている。
【００４１】
記述子１０（download＿id）は、ＳＤＴＴが伝送線４に送出される毎に他のＳＤＴＴと区別するために付されるものであり、当該記述子１０（download＿id）のパラメータとして、日付や通し番号などにより組み合わせたもの（例えば、“０ｘ０８１２０５０１”）が使用される。
【００４２】
ここで、本実施形態のＳＤＴＴは、ダウンロードの告知情報として用いられるだけでなく、ヘッドエンド装置２によるＣＡＴＶ用伝送信号の配信状況が変化するときに、ＳＴＢ３に後述する放送チャンネルのスキャン処理（チャンネルスキャンに相当する）を実行させたり、ＳＴＢ３に後述するチューナ設定処理を実行させたりするためにも用いられる。
【００４３】
具体的に、本実施形態のＳＤＴＴは、ＳＴＢ３にスキャン処理を実行させるための指令情報として用いられる場合、フィールド８（table＿id＿ext）の下位フィールド（model＿id）のパラメータとして、機種ＩＤ（例えば“０１”）の代わりに、指令識別子（例えば、“ＦＦ”）が使用される。
【００４４】
そして、フィールド９（start＿time）のパラメータのうちの時刻ＩＤが、ヘッドエンド装置２によるＣＡＴＶ用伝送信号の配信状況が変化する時刻（換言すれば、ＳＴＢ３によるスキャン処理の開始可能時刻）として利用される。なお、フィールド９（start＿time）のパラメータのうちの日付ＩＤは、ＳＤＴＴが伝送線４に送出される日付を表すが、実質的に利用されないことになる。
【００４５】
これに対して、記述子１０（download＿id）のパラメータのうちの上位６桁が、ヘッドエンド装置２によるＣＡＴＶ用伝送信号の配信状況が変化する日付（換言すれば、ＳＴＢ３によるスキャン処理の開始可能日）を示す日付ＩＤとして、例えば２００８年１２月５日であれば“０８１２０５”のようにして用いられる。つまり、ＣＡＴＶシステム１のヘッドエンド装置２によりＳＤＴＴが伝送線４に送出される毎に切り換わることのない記述子１０（download＿id）を利用して、スキャン処理の開始可能日をＳＴＢ３に伝達するようにしている。なお、日付ＩＤが無効な日付で指定される場合には、ＳＴＢ３にスキャン処理をさせないようにしてもよい。
【００４６】
一方、ＳＴＢ３にスキャン処理と共にチューナ設定処理を実行させるための指令情報として用いられる場合、記述子１０（download＿id）のパラメータのうちの下位１桁目が、ＱＡＭ信号又はＯＦＤＭ信号のいずれかをＳＴＢ３に選局させるための切換識別子を表すものとして使用される。
【００４７】
なお、記述子１０（download＿id）のパラメータのうち、下位２桁目が、ＳＴＢ３に対するスキャン処理の指示内容を詳細に表すものとして用いられ、下位１桁目（切換識別子）が、ＳＴＢ３に対するチューナ設定処理の指示内容を詳細に表すものとして用いられる。
【００４８】
＜ＳＴＢの構成＞
次に、図３は、本発明が適用されたＣＡＴＶシステムの受信端末装置としてのセットトップボックス（ＳＴＢ）の構成を示すブロック図である。
【００４９】
図３に示すように、ＳＴＢ３は、ＣＡＴＶシステム１のヘッドエンド装置２から伝送線４を介して伝送されてくるＣＡＴＶ用伝送信号を入力するための入力端子１１と、この入力端子１１に入力された伝送信号を、６４ＱＡＭ変調されたデジタル放送信号（以下、ＱＡＭ信号という）と、ＯＦＤＭ変調されたデジタル放送信号（以下、ＯＦＤＭ信号という）とに分配するスプリッタ１２と、スプリッタ１２で分配された伝送信号のうち、特定放送チャンネル（以下、単に選局チャンネルともいう）のＱＡＭ信号を選局して中間周波数帯に周波数変換し、その変換信号を６４ＱＡＭ復調するＱＡＭチューナ１３と、特定放送チャンネルのＯＦＤＭ信号を選局して中間周波数帯に周波数変換するＯＦＤＭチューナ１４とを備えている。
【００５０】
また、ＳＴＢ３は、上記２つのチューナ１３，１４のうち、ＣＡＴＶシステム１のヘッドエンド装置２で変調する前のデジタル放送信号に変換できたチューナ１３又は１４からの出力を選択する選択部１５と、選択部１５にて選択されたデジタル放送信号をＯＦＤＭ復調して放送データに復元し、その復元データを映像データ・音声データ・データ情報・ＳＤＴＴに分離するデータ処理部１６と、ＣＰＵ，ＲＯＭ，ＲＡＭ，不揮発性メモリ等からなるマイコン１７とを有する制御部１８を備えている。
【００５１】
なお、データ処理部１６で分離された映像データ・音声データ・データ情報は、ＨＤＭＩ用のＩＣ１９を介して、またこのうち映像データ・音声データは、それぞれビデオドライバ２０・オーディオＤＡＣ２１を介して、ＩＣ１９，ビデオドライバ２０，オーディオＤＡＣ２１の出力端子２２〜２４に接続された図示しないＴＶに出力される。一方、データ処理部１６で分離されたＳＤＴＴは、マイコン１７に出力される。
【００５２】
さらに、ＳＴＢ３には、チューナ１３，１４における選局チャンネルを含む各種指令を手動操作によって入力するための操作部２５や、遠隔操作用の図示しないリモコン装置からの送信信号を受信するリモコン受信部２６が設けられている。
【００５３】
そして、これら操作部２５やリモコン受信部２６からの入力信号は、マイコン１７に入力され、マイコン１７のＣＰＵは、操作部２５若しくはリモコン受信部２６から、チューナ１３，１４による選局チャンネルを指定する信号（即ち、チャンネル番号を示す信号）が入力されると、その指令信号に基づいて、不揮発性メモリに記憶されているチャンネルリストを参照し、チューナ１３，１４が選局する選局チャンネルを切り換える選局処理を実行する。
【００５４】
なお、チャンネルリストは、選局チャンネル（チャンネル番号）と放送局の情報とが対応付けられた情報であり、後述するスキャン処理によってチューナ１３，１４により選局されたデジタル放送信号（ＣＡＴＶ用伝送信号）に基づいて更新される。また、チャンネルリストには、選局処理によりチューナ１３及び１４で選局されたＣＡＴＶ用伝送信号のうち、いずれの伝送信号を視聴用の信号として選択部１５に選択させるかを示すチューナ設定情報が含まれ、マイコン１７のＣＰＵは、そのチューナ設定情報に従って選局処理を実行するように構成されている。
【００５５】
＜スキャン制御処理＞
ここで、マイコン１７のＣＰＵが、前述の選局処理の他に、ＲＯＭに記憶されたプログラムに基づき、ＲＡＭを作業エリアとして実行するスキャン制御処理を、図４に示すフローチャートに沿って詳しく説明する。なお、本処理は、ＳＴＢ３のＡＣコードが外部電源に接続されている間繰り返し実行される。
【００５６】
まず、本処理が開始されると、Ｓ１１０では、データ処理部１６を介してＳＤＴＴが入力されたか否かを判断し、ここで肯定判断した場合にはＳ１２０に進み、否定判断した場合にはＳ１９０に進む。
【００５７】
Ｓ１２０では、Ｓ１１０で受信したＳＤＴＴのフィールド８（table＿id＿ext）のパラメータに基づいて、そのパラメータに含まれている製造者ＩＤが、当該ＳＴＢ３の製造者に割り当てられたものであるか否かを判断し、ここで肯定判断した場合にはＳ１３０に進み、否定判断した場合にはＳ１９０に進む。
【００５８】
Ｓ１３０では、Ｓ１１０で受信したＳＤＴＴのフィールド８（table＿id＿ext）のパラメータに基づいて、そのパラメータに指令識別子が含まれているか否かを判断し、ここで肯定判断した場合には、ＳＤＴＴがスキャン指示用の指令情報であるとみなしてＳ１５０に進み、否定判断した場合には、ＳＤＴＴがダウンロード指示用の告知情報であるとみなしてＳ１４０に進む。
【００５９】
Ｓ１４０では、ダウンロード指示用のＳＤＴＴに従って、当該ＳＴＢ３の動作に必要なソフトウェアの更新を行うためのソフトウェア更新処理を実行し、Ｓ１９０に進む。なお、ＳＤＴＴを使用するソフトウェア更新処理については、周知のものであるため、その詳細な説明を省略する。また、このソフトウェア更新処理は、当該スキャン制御処理と独立して行うようにしてもよい。
【００６０】
一方、Ｓ１５０では、Ｓ１１０で受信したＳＤＴＴの記述子１０（download＿id）のパラメータに基づいて、そのパラメータの下位１桁目に切換識別子が含まれているか否かを判断し、ここで肯定判断した場合には、ＳＴＢ３に対するチューナ設定処理の指示（チューナ設定変更指示）があるものとみなしてＳ１６０に進み、否定判断した場合（例えば、下位１桁目が“０”又は“９〜０ｘＦ”である場合）にはＳ１７０に進む。
【００６１】
Ｓ１６０では、切換識別子のパラメータに従って、不揮発性メモリに記憶されているチューナ設定情報を更新するチューナ設定処理を実行する。例えば、切換識別子のパラメータが、“１”であればＱＡＭ信号のみを選択するように設定し、“２”であればＯＦＤＭ信号のみを選択するように設定し、“３”であればＱＡＭ信号を優先的に選択するように設定し、“４”であればＯＦＤＭ信号を優先的に選択するように設定する。
【００６２】
Ｓ１７０では、記述子１０（download＿id）のうち下位２桁目のパラメータに基づいて、ＳＴＢ３に対するスキャン処理の指示（以下、スキャン指示ともいう）があるか否かを判断し、ここで肯定判断した場合にはＳ１８０に進み、否定判断した場合にはＳ１９０に進む。例えば、記述子１０（download＿id）のうちの下位２桁目のパラメータは、“０”がスキャン指示を解除すること、“１”がチャンネルリストを初期設定してからスキャンすること、“２”がチャンネルリストを初期設定せずにスキャン（再スキャン）すること、“３〜０ｘＦ”がスキャンしないことを表すようにされている。
【００６３】
Ｓ１８０では、記述子１０（download＿id）のうち、下位２桁目のパラメータ、上位６桁のパラメータ（日付ＩＤ）、及びフィールド９（start＿time）のうちの下位６桁のパラメータ（時刻ＩＤ）に基づいて、スキャン方法、スキャン開始可能日、及びスキャン開始可能時刻を、スキャン指示として不揮発性メモリに登録する。
【００６４】
なお、記述子１０（download＿id）のうちの下位２桁目のパラメータが“０”である場合には、既に不揮発性メモリに登録されているスキャン指示を削除する。また、例えば、切換識別子のパラメータは、“５”がＱＡＭ信号のみを選択するチューナ設定である場合にスキャンしないこと、“６”がＯＦＤＭ信号のみを選択するチューナ設定である場合にスキャンしないこと、“７”がＱＡＭ信号を優先的に選択するチューナ設定である場合にスキャンしないこと、“８”がＯＦＤＭ信号を優先的に選択するチューナ設定である場合にスキャンしないことを表すようにされている。この場合、この切換識別子のパラメータと、不揮発性メモリに記憶されているチューナ設定情報とに基づいて、現在のチューナ設定が切換識別子のパラメータにより示される伝送信号を選択するように設定されていればスキャン指示の取り消しを行う。
【００６５】
一方、Ｓ１９０では、不揮発性メモリにスキャン指示が登録されているか否かを判断し、ここで肯定判断した場合にはＳ２００に進み、否定判断した場合にはＳ１１０に戻る。
Ｓ２００では、不揮発性メモリに登録されているスキャン指示に基づいて、スキャン開始可能日、及びスキャン開始可能時刻を経過しているか否かを判断し、ここで肯定判断した場合にはＳ２１０に進み、否定判断した場合にはＳ２２０に進む。
【００６６】
Ｓ２１０では、不揮発性メモリに登録されているスキャン指示（スキャン方法）に従って、チューナ１３，１４を介して全ての放送チャンネルを順次選局し、各周波数帯におけるデジタル放送信号（ＣＡＴＶ用伝送信号）の有無をスキャンするスキャン処理を実行する。
【００６７】
なお、スキャン処理では、チューナ１３，１４にて選局されたＣＡＴＶ用伝送信号を信号レベルが、所定の閾値を上回る場合に、そのＣＡＴＶ用伝送信号を受信可能な放送チャンネルの伝送信号（視聴用の信号）として扱う。また、スキャン処理は、操作部２５やリモコン受信部２６から、当該スキャン処理を指示する信号が入力された場合にも、同様に開始される。
【００６８】
続くＳ２２０では、Ｓ２１０のスキャン処理で受信可能な放送チャンネルの伝送信号であるとみなされたＣＡＴＶ用伝送信号に基づいて、その放送チャンネル（選局チャンネル）にチャンネル番号を付与し、そのチャンネル番号と放送局の情報とを対応付けたチャンネルリストを設定するチャンネルリスト設定処理を実行して、Ｓ１１０に戻る。
【００６９】
なお、チャンネルリスト設定処理では、記述子１０（download＿id）のうちの下位２桁目のパラメータに基づいて、初期設定を行うか、あるいは初期設定せずに上書きするか、いずれかの設定方法が選択され、その選択された設定方法に従ってチャンネルリストを更新する。
【００７０】
このように、本処理では、ＳＤＴＴの中から指令識別子を検出した場合、そのＳＤＴＴがスキャン指示用の指令情報であるとみなして、ソフトウェア更新処理を実行する代わりに、そのＳＤＴＴに含まれている各種パラメータに基づいてスキャン処理を実行することにより、チャンネルリストを自動更新するように構成されている。
【００７１】
なお、上記実施形態において、入力端子１１が入力手段、ＱＡＭチューナ１３及びＯＦＤＭチューナ１４が選局手段、チャンネルリスト設定処理がチャンネルリスト設定手段、ソフトウェア更新処理がソフトウェア更新手段、スキャン制御処理がスキャン実行手段に相当する。
【００７２】
＜本実施形態の効果＞
以上説明したように、本実施形態のＣＡＴＶシステム１では、例えば新たな放送局が開設されて放送チャンネルが増減する場合のように、ヘッドエンド装置２からＳＴＢ３に配信されるＣＡＴＶ用伝送信号の配信状況が変化するときに、ＳＴＢ３に放送チャンネルのスキャン処理を実行させるための指令識別子を含むＳＤＴＴが配信される。
【００７３】
したがって、本実施形態のＣＡＴＶシステム１によれば、ＳＴＢ３が、ＣＡＴＶ用伝送信号の配信状況が変化する場合にヘッドエンド装置２から送信されるＳＤＴＴの中から指令識別子を検出すると、放送チャンネルのスキャン処理を実行することにより、効率よくチャンネルリストを自動更新することができる。
【００７４】
また、ＣＡＴＶシステム１のＳＴＢ３では、ＳＤＴＴに含まれている切換識別子のパラメータに従って、チューナ設定情報を、ＱＡＭ信号またはＯＦＤＭ信号のみを選択するように、あるいはＱＡＭ信号またはＯＦＤＭ信号を優先的に選択するように自動更新することができる。
【００７５】
このため、例えばヘッドエンド装置２からＳＴＢ３に配信されるＣＡＴＶ用伝送信号の配信方式が変化するときに、効率よくチューナ設定情報を自動更新することができる。
さらに、ＣＡＴＶシステム１のＳＴＢ３では、ＳＤＴＴに含まれている切換識別子のパラメータと、不揮発性メモリに記憶されているチューナ設定情報とに基づいて、現在のチューナ設定が切換識別子のパラメータにより示される伝送信号を選択するように設定されている場合に、スキャン処理の実行を禁止する。
【００７６】
つまり、ＣＡＴＶシステム１のＳＴＢ３がチューナ設定処理を行う必要がない場合に、不要なスキャン処理を省略することができるため、ひいては、ＣＡＴＶシステム１において、各加入者宅に設置されたＳＴＢ３毎の設定状態に応じて、余計な動作をさせずに済ますことができる。
【００７７】
［他の実施形態］
以上、本発明の実施形態について説明したが、本発明は上記実施形態に限定されるものではなく、本発明の要旨を逸脱しない範囲において、様々な態様にて実施することが可能である。
【００７８】
例えば、上記実施形態のスキャン制御処理では、記述子１０（download＿id）のうち下位２桁目のパラメータに基づいて、スキャン指示があると判断した場合（Ｓ１７０；ＹＥＳ）に、スキャン処理を行うようにしているが、このステップは必須ではなく、少なくともＳＤＴＴの中から指令識別子を検出した場合（Ｓ１３０；ＹＥＳ）に、スキャン処理を行えばよい。
【００７９】
また、上記実施形態のスキャン制御処理では、スキャン開始可能日、及びスキャン開始可能時刻を経過している場合（Ｓ２００；ＹＥＳ）に、直ちにスキャン処理を開始するようにしているが、これに限定されるものではなく、例えばＳＴＢ３の電源がオンにされている場合であれば、次に電源がオフにされるときにスキャン処理を開始するようにしてもよい。
【符号の説明】
【００８０】
１…ＣＡＴＶシステム、２…ヘッドエンド装置、３…ＳＴＢ５…ＣＡＴＶ変換部、６…ダウンロード装置、７…送出装置、１１…入力端子、１２…スプリッタ、１３…ＱＡＭチューナ、１４…ＯＦＤＭチューナ、１５…選択部、１６…データ処理部、１７…マイコン、１８…制御部。
【図１】
2010239521.tif 000003
【図２】
2010239521.tif 000004
【図３】
2010239521.tif 000005
【図４】
2010239521.tif 000006